(57)【要約】      （修正有）【課題】複数枚の印刷物を順次交換して展示するための表示装置において、印刷物の変換をより確実におこなうことができる装置及び印刷物を提供する。【解決手段】ローラー、モーター、スイッチを専用に２組設けた。ピック・アップ・ローラー７は束の前面下に当接し、送りローラー８は束の上方で持ち上がった紙の裏側に当接した結果、共に十分な押圧力を得て確実な動作を実現した。送り終わりで次の紙が動いてしまう現象と、スイッチ停止と次のタイマー起動との連携問題も供給電源の切り替えで解決した。紙の落下の後倒れは、束の後面下部を押す、押し当てレバー５を設けて防ぎ、押圧力も加勢した。紙同士の張り付きは表裏に凹凸を付けて激減した。【選択図】図１
0003147144.tif 000002
【実用新案登録請求の範囲】
【請求項１】
斜め下向きの前傾で使用する壁掛けタイプの印刷物表示装置において、印刷物を重ねた束の前面下部にピック・アップ・ローラーを当接し、送りローラーを束の上方に配置し、ピック・アップ・ローラーの回転により持ち上げられた紙の裏面にこの送りローラーを当接し、それぞれ個別にモーターで駆動して、順次展示を切り替える機能を持つことを特徴とする印刷物表示装置。
【請求項２】
請求項１記載の印刷物表示装置において、タイマー起動の送りローラー・モーターに、紙の送り始めと送り終わりをそれぞれ感知する切り替え型スイッチを設け、紙の送り始め時は、供給電源をタイマー接続から電池接続に切り替え、送り終わり時には、供給電源を元のタイマー接続に戻す切り替えを行う機能を持つことを特徴とする印刷物表示装置。
【請求項３】
請求項２記載の印刷物表示装置において、送られて落下する紙が後方に倒れてしまうのを防ぐためと、ピック・アップ・ローラーに押圧力を加えるために、弾性力で束の後面を押すレバーを設けたことを特徴とする印刷物表示装置。
【請求項４】
請求項３記載の印刷物表示装置専用の印刷物で、紙同士の張り付き防止策として、紙の表裏両面に凹凸を付けた印刷物。
【考案の詳細な説明】
【技術分野】
【０００１】
本考案は、絵画、写真、その他各種の印刷物を展示するための額等の印刷物表示装置、およびこの印刷物表示装置で展示される専用印刷物に関するもので、特に複数枚の印刷物を順次交換して展示するための印刷物表示装置に関する。
【背景技術】
【０００２】
複数枚の印刷物を順次交換して展示するための印刷物表示装置としては、本考案者考案の実用新案登録第３１０９０２２号公報に記載されたものがある。
【特許文献１】実用新案登録第３１０９０２２号公報
【考案の開示】
【考案が解決しようとする課題】
【０００３】
本考案は実用新案登録第３１０９０２２号公報に記載された印刷物表示装置を改良し、印刷物の交換をより確実に行うことができる装置、及び印刷物を提供するためになされたものである。
【０００４】
「課題１」  前実用新案請求項２のローラー押し当接位置では、印刷物の束が僅かに倒れ掛かるだけなので、押圧力は極めて小さく紙は滑ってしまい、送り作業はできない。更に押圧力を得ようと額の前傾角度を４５度程に大きくして、額の実用展示角度を越えても、反力で束が持ち上がってしまい、十分な押圧力は得られず実働に至らない。
【０００５】
「課題２」  前実用新案請求項３のローラー直後のスイッチ位置、動作では、紙が送り終わりローラーから外れ（次の紙に当接する）、スイッチを押し、モーター（ローラー）が止まるまでの間にタイム・ラグが有り、その分次の紙を少し持ち上げてしまう。
【０００６】
「課題３」  前実用新案請求項３の単に接続を切る断続型スイッチ動作でモーターを停止させると、切断状態となるため、次回以降のタイマー起動ができなくなる。
【０００７】
「課題４」  前実用新案請求項２、３の印刷物表示装置では、紙が後方に送られて落下する際に、後ろ向きに倒れてしまい、束にきちんと重ならない現象が多々起こる。その結果、以降の紙が乱れ、詰まり、紙を傷め、循環が途切れてしまう。
【０００８】
「課題５」  前実用新案請求項５の専用印刷物は、２〜数枚で紙同士の張り付きが頻繁に起こり、紙詰まりとなり、多数枚の時は紙、送り機構を傷める事も有る。
【課題を解決するための手段】
【０００９】
「課題１の解決」  必要十分な押圧力を得るため、ローラーを２個に増設し、ピック・アップ・ローラーと送り専用のローラーとに役割分担をさせ、最適な位置に配置する。ピック・アップ・ローラーは印刷物の束の前面下部に当接し、送りローラーは束の上方に設け、ピック・アップ・ローラーの回転により、持ち上げられた紙の裏面に当接して、それぞれ個別のモーターで駆動する。
【００１０】
「課題２の解決」  ピック・アップ・ローラーの役割は、紙を少し持ち上げ、送りローラーに噛み込ませるだけで僅か１〜２秒の作業であるが、重要な点は、紙がまだピック・アップ・ローラーに掛かっているうちに即停止することである。停止が遅れると紙がピック・アップ・ローラーから外れた途端に次の紙を持ち上げてしまう。ピック・アップ・ローラー直後に断続型レバー・スイッチを設ける。
【００１１】
「課題３の解決」  送りローラーのモーターには、断続型ではなく、切り替え型スイッチを設ける。ローラー直後のスイッチのレバーで紙の送り始めを感知、供給電源接続をタイマー接続から電池接続に切り替える。そのまま送り作業は続き、その間にタイマーはＯＦＦになる。（設定で５秒後）  送り終わりは紙の外れを感知して、供給電源を元のタイマー接続に切り替えを戻す。ローラーは、次回のタイマー起動に備えた状態で停止する。
【００１２】
「課題４の解決」  弾性力で束の後面を押すレバーを設ける。弾性力が弱いと紙の後方倒れは防げるが、加わる押圧力は不足して、ピック・アップ・ミスが出るようになる。逆に強すぎるとピック・アップは確実になるが、紙の張り付きトラブルが出るようになり、更には、落下する紙を途中で止めてしまい、束の整列を乱すようになる。
【００１３】
「課題５の解決」  紙同士の張り付き防止策として、紙の表裏両面に凹凸を付ける。凹凸の形状は１センチ程の線状を縦に、印刷部を避けて上下端部一定に横１列に付ける。偶然に一カ所でも凹凸が一致してしまうと、はまり込んで逆効果となるので、数、間隔はランダムにする。
【考案の効果】
【００１４】
「課題１の効果」  ピック・アップ・ローラーの当接位置は、僅かな額の前傾角度でも前傾斜床の効果で、ずり落ちる束の全重量がそこに集中し、かなりの押圧力が発生し、ほぼ確実なピック・アップができる。役割が紙をほんの僅か持ち上げ、回転している送りローラーに噛み込ませるだけなので、多少は滑って不確実でも実用上は問題ない。一方、送りローラーにおいては、すぐに送り込まれる天井送り湾曲ガイドにより、紙がローラーに押し付けられるように曲げられて、適度に大きな押圧力が発生し確実な送りが行われる。
【００１５】
「課題２の効果」  ピック・アップ・ローラーは、タイマー起動から数秒後に、スイッチのレバーで紙の動きを正確に感知、切断され、確実に停止する。この停止状態で、ピック・アップ・ローラーにまだ掛かっている紙の残り分は、押圧力が送りローラーに比べ格段に小さいため、滑って引き抜かれるように送られてしまう。その後、紙が送り終わる（約１８秒後）とスイッチのレバーで感知、接続となるが、タイマーは既に（設定で５秒後）ＯＦＦになっているので、次の紙は微動だにしない。
【００１６】
「課題３の効果」  送りモーターは、単なる回路の切断ではなく、供給電源を適時に時刻設定されたタイマーからと、直接の電池からとで接続を切り替えて行うことに依り制御される。その結果、ＯＦＦになっているタイマーとの接続状態で停止するので、次回以降のタイマー起動も出来、確実な制御が実現する。
【００１７】
「課題４の効果」  紙が後方に倒れてしまうのが防げ、きちんと束の後面に重なりセットされる。仮に完全に落ちずに中途半端な状態になっても、次回の紙が落ちる際にきちんと正される。他方、ピック・アップローラーは、不足気味の押圧力が増加するため、より確実なピック・アップができるようになる。
【００１８】
「課題５の効果」凸部が互いの面に当たり、平面の密着部分が減ることで、摩擦力が減少し、ピック・アップ時、紙同士の張り付きは激減する。
【考案を実施するための最良の形態】
【００１９】
従来の額縁の裏側に設けた、奥行き１０ｃｍ程の印刷物収納部（５０枚位）とそこに取り付けた部品類が横方向から見えるが、前方からは大きめの縁に隠れて見えず、少し厚み（奥行き）の有る額縁といった外観で、特に違和感は無い。
【００２０】
取り付け部品は、タイマー・ユニットと、小型モーター、ローラー、センサー・スイッチのセット２組、付加スイッチ２個、電池ケース（単３電池４本）、天井送り湾曲ガイド、前傾斜滑り床面部、束の後面押し当てレバー等で、緻密な制御、動作の割には、シンプル、自然な原理、構成で、ロー・コストである。
【００２１】
循環額縁（仮）「スライド・フレーム」として、普通（一般用）タイプＡ４の縦型、横型の２種。大型（プロ用）タイプＡ３の縦型、横型２の種。特大型（業務用）タイプＡ２の縦型、横型の２種等、様々なサイズが考えられる。
【００２２】
前面額の部分は、使用用途、好み、展示物とのマッチング等によって、重厚な絵画用、シンプルな写真用、万能な一般用等を選択することができる。
【００２３】
循環サイクルを決めるタイマーの設定は、基本（初期設定）は日替わり（２４時間）であるが、任意で、数値による時間、分、秒（実用上３０秒以上）が設定できる。
【００２４】
手動起動スイッチの他に、紙詰まり等トラブル時、長期休止等のためにモーターの逆転、停止スイッチを装備。
【００２５】
電源は単３電池４本。１回に付き２０秒程度モーターを回すだけなので、基本の日替わり使用では、１〜２年は保つと思われる。
【００２６】
セットできる印刷物は、５０枚（表裏で１００種）位で、枚数で周期頻度を調整できる。
【００２７】
専用印刷物の自作の場合、市販の両面印刷用紙（厚さ０．２〜０．３ｍｍ）に自前のＡ４プリンターで印刷。デジカメ写真は直接に、アルバム等の旧銀塩写真（サービス版以上）等、アナログ絵写真からの拡大コピー、インター・ネットから無料、格安版のダウン・ロード印刷等、Ａ４大の絵写真が様々、簡便、低コストで大量に収集制作できる。
【００２８】
専用印刷物は、自前のＡ４プリンターが無い等、デジタル環境下にない人たちでも、既存ＤＰＥネット・ワークに絵写真、データを持ち込むことで依頼制作できる。
【００２９】
希望予測ではあるが、規格統一された（仮）「スライド・ピクチャー」として、出版社から市販され、従来の美術全集、写真集等（結果的に多数の抱き合わせ販売）に替わり、１枚（２種）単位、もしくは数枚の組単位で、無駄無く好みの物だけを収集できるようになる。
【実施例】
【００３０】
タイマーが「入」設定時刻でＯＮになり、ピック・アップ・ローラー（７）と送りローラー（８）が起動する。
【００３１】
ピック・アップ・ローラー（７）により印刷物の束（６）の最前面の紙が、ピック・アップされ持ち上がり、送りローラー（８）に送り込まれる。
【００３２】
まだ紙がピック・アップ・ローラー（７）に掛かっているうちに、送られる紙がピック・アップ・ローラーのスイッチ・レバー（９）を押し、タイマーとの接続が切られてローラー（７）は停止する。
【００３３】
紙が更に送られて、ピック・アップ・ローラー（７）から外れるが、既に停止しているので、次の紙は動かない。（起動から約２〜３秒後）
【００３４】
続いて送りローラーのスイッチ・レバー（１０）が押され、送りモーター（１２）の供給電源がタイマーから電池に切り替わる。
【００３５】
タイマーが「切」設定時刻でＯＦＦになる。（起動から５秒後）
【００３６】
紙は更に十数秒間送られて、ピック・アップ・ローラーのスイッチ・レバー（９）が戻り、タイマーとの接続が復活する。（タイマーは既にＯＦＦで次回の起動に備えた状態）
【００３７】
続いて送りローラーのスイッチ・レバー（１０）が戻り、送りモーター（１２）の供給電源が電池からタイマーに切り替わって停止し、次回の起動に備えた状態となる。（約１６〜１７秒後）
【００３８】
落下した紙が自然に印刷物の束（６）の最後面にセットされ、一連の入れ替え作業が完了する。（約１８秒後）
【産業上の利用可能性】
【００３９】
絵写真の感動、力感、表現力は、その大きさに比例して発揮される。絵画は特にその傾向が顕著で、Ａ３大にもなると複製の印刷画であっても、額装して鑑賞できる”格”が備わってくる。写真ではＡ４大で同様の”格”が備わる。
転じて巷では、更なる超特大Ａ２判印刷も可能な程、デジカメの１０００〜２４００万という高画素化が、普及タイプＡ４プリンターの９６００ｄｐｉというハイ・スペック化が謳歌され、インター・ネットでは、無料サイトでも特大印刷も可能な高精細画像のダウン・ロードが隆盛を極めている。
【００４０】
正に、プロ、市販レベルの大判（Ａ４以上）絵写真を低コストで大量に自作、収集できる環境が既に整っているにも拘わらず、肝心不可欠、本来の最終目的を果たすべき”大判大量展示機器”は未だに無い。
【００４１】
その結果、絵写真本来のごく自然であり理想な姿でもある、額装して部屋に飾って楽しむという発想も生まれず、それが当然のごとくに、一部が小判のＬ、２Ｌサイズで印刷され、”鑑賞”ではなく”閲覧”頻度が低くなって行くアルバムに収められるだけである。そして残りの全ては、データのまま保存されて半死蔵化しつつ、忘れ去られて行く。
数限りない多くの思いを込めた”傑作絵写真”が、ただ単に手間暇を掛け撮影、収集されるばかりで、殆どが生（活）かされる（飾られ、鑑賞される）ことも無く虚しく朽ちて行く。
【００４２】
本考案品が普及する事により、初めて前述の閉塞状況を打ち破り、気軽に大量に大判絵写真を部屋、家庭、職場に飾れる道が拓け、見込まれる膨大な潜在需要に支えられ、マイ・ギャラリー、ホーム・ギャラリー、オフィス・ギャラリーが実現する。
即ち、絵写真を飾って、芸術、趣味に浸り、豊かな日々を過ごす習慣、文化が育成される。
【００４３】
絵写真ソフトは自作の場合、２００〜万画素のデジカメで撮影、１４４０〜ｄｐｉのプリンター、市販両面印刷用紙でＡ４大の”実用絵写真”が制作できる。実勢で１枚（両面）当たり百数十円（２００８年９月現在）の低コストである。
一方、インター・ネットの無料、格安サイトからダウン・ロードすれば、プロもしくはアマ制作の、高精細な絵写真画像データを簡単に入手でき、同じく低コストで制作できる。
【００４４】
パソコン、Ａ４プリンター等、デジタル環境下にない人たちは、絵写真そのもの、もしくは絵写真データを既存ＤＰＥネット・ワークに持ち込み、（仮）「スライド・ピクチャー」制作依頼をすることになる。それが事業の有望なサービス分野となる。
【００４５】
従来の美術全集、写真集等（結果的に多数の抱き合わせ販売）に対し、規格統一された（仮）「スライド・ピクチャー」として、出版社から市販され、１枚（２種）単位、もしくは数枚の組単位で、好みの物だけを売買、収集できるようになる。このため、返本リスクが小さく、小回りが利く企画、制作ができ、出版業界に新風となり、有望なソフト分野として成長、活況が期待できる。
【００４６】
絵写真ソフト（仮）「スライド・ピクチャー」は、芸術の一分野として市場を形成し、データ、もしくは印刷物がインター・ネット、コンビニ、書店等で受注、販売、受け渡しされ、既存の流通ネット・ワークも端末拠点として活かされ、拡大成長が期待できる。
【００４７】
インター・ネットによる、１枚（２種）単位、もしくは数枚の組単位取引で、これまで発表の機会に恵まれない等、不利な立場にあった、無名のプロ、アマ、素人の画家、漫画家、写真家たちが、個人で制作、発表、販売（データ、印刷物）できるシステムが形成される。
それが制作者の自由な創造活動を下支えすることになり、市場も豊かに活性化する。
【図面の簡単な説明】
【００４８】
【図１】左側面図（透視図）である。
【図２】後方から見た、各モーター、ローラー、スイッチの連携図（概略図）である。
【図３】印刷物に付けた凹凸の例である。
【符号の説明】
【００４９】
１  本体ケース前面
２  本体ケース後面
３  前傾斜床
４  天井送り湾曲ガイド
５  押し当てレバー
６  印刷物の束
７  ピック・アップ・ローラー
８  送りローラー
９  ピック・アップ・モーター・スイッチ
１０  送りモーター・スイッチ
１１  ピック・アップ・モーター
１２  送りモーター
【図１】
0003147144.tif 000003
【図２】
0003147144.tif 000004
【図３】
0003147144.tif 000005